(57)【要約】【課題】簡便に金属粉の飛散を抑止できるとともに、金属小部品の回収が容易となる床材を得、安価に作業空間の清浄度向上を図る。【解決手段】室内床の下地面に貼り付けられる面状の床材１００であって、表層１１下に、この表層１１と同一面積を有して表層１１上に磁界を形成する着磁層１３が積層されてなる。表層１１は、シート状の表面材１７からなり、表面材１７の表面には金属粉を収容可能とする複数の微小凹凸１９が形成されることが望ましい。また、着磁層１３の下面には、着磁層１３と同一面積を有するクッション材２１が積層されてもよい。【選択図】      図１
2008190145.tif 000002
【特許請求の範囲】
【請求項１】
室内床の下地面に貼り付けられる面状の床材であって、
表層下に、該表層と同一面積を有して該表層上に磁界を形成する着磁層が積層されたことを特徴とする床材。
【請求項２】
前記表層がシート状の表面材からなり、該表面材の表面には金属粉を収容可能とする複数の微小凹凸が形成されたことを特徴とする請求項１記載の床材。
【請求項３】
前記着磁層の下面に、該着磁層と同一面積を有するクッション材が積層されたことを特徴とする請求項１又は２に記載の床材。
【請求項４】
前記下地面に対向する下面に、接着層が積層されたことを特徴とする請求項１，２，３のいずれか１つに記載の床材。
【請求項５】
正方形又は長方形の矩形パネル形状に形成されたことを特徴とする請求項１，２，３，４のいずれか１つに記載の床材。
【発明の詳細な説明】
【技術分野】
【０００１】
本発明は、室内床の下地面に貼り付けられる床材に関し、さらに詳しくは、金属粉を含む塵埃の飛散を抑止可能とした床材に関し、特に、空気対流にて室内の清浄化を行わない所謂簡易クリーンルームに用いて好適なものである。
【背景技術】
【０００２】
クリーンルームは、清浄化の除去対象となる物により、工業用クリーンルーム、バイオロジカルクリーンルームなどに大別される。対象物が微粉子である工業用クリーンルームは、半導体、電子機器、精密機械、光学、印刷等の分野に適用される一方、対象物が微生物であるバイオロジカルクリーンルームは、医療、薬品、食品、農林、畜産等の分野に適用される。これらクリーンルームの一般的なものは、壁や天井を標準のパネルで組立て、これらに空調換気装置の給気側及び排気側を接続し、空調換気装置に設けられるフィルタにより室内の塵埃を補集することで、清浄空間を確保している。
【０００３】
空調換気装置の備えられたクリーンルームは、室内のクリーン度を確保するため、ダウンフロー（天井からの送気）での送排気が原則となる。この場合、クリーンルーム天井にはＨＥＰＡフィルターが設けられ、ＨＥＰＡフィルターからクリーンなエアーが床方向に送気される。ＨＥＰＡフィルターから送気されたエアーは、一部がパーテーションに沿って床に設けられたグレーチングへ流れる。グレーチングは、ＨＥＰＡフィルターから送気されたエアーを、床下部に設けられたリターン風路を介して室外へ排気する。つまり、クリーンルーム内は、天井から送気されるクリーンなエアーが床方向へ吸い込まれ、還流されることのないダウンフローとなっている。
【０００４】
このように構成されたクリーンルーム内には、例えば生産機器等が据え付けられ、塵埃（浮遊微少粒子、浮遊微生物など）が空気中に浮遊しないようにして、電子部品、精密部品等の組立てが行われる。これにより、塵埃の付着による短絡、断線、細菌汚染等が防止され、塵埃の混入による不良率の低下、歩留りの向上が図られていた。
【発明の開示】
【発明が解決しようとする課題】
【０００５】
上記のクリーンルームを構築するには、床を二重に構築したり、天井面を格子状にしたり、（床面への）落下物の受けを設けたり、非常に大がかりなシステムとなる。その施工費用も膨大であり、管理等も煩雑となる。一方で、このような構築構造で構成される生産現場、生産場所（生産空間）とは異に、簡易的な構成による清浄な作業環境で十分な生産空間（簡易クリーンルーム）もある。粉じん対策を厳密に行わないこの種の簡易クリーンルームは、上記のような構造に似せながら、例えば、換気などを行う、或いは室内の気圧を高めにして埃の侵入を防止する、等、床面に散る塵埃、切削粉、金属屑、金属粉などを清掃によって回収して飛散防止を行っている。
しかしながら、金属粉や切削粉などが飛散するのは好ましくなく、特に、金属粉の混入などは製品としての品質を致命的に低下させる場合があった。このため、簡易な構成で、飛散防止を行い、施工費用が掛からず、しかも、清掃作業や管理が容易な生産空間構築の要請があった。
また、従来の生産空間における床面は、清掃し易いように、コンクリート床面やモルタル床面に対し、樹脂製塗料等により塗膜を形成する塗装で済ませることが多い。
しかしながら、作業者が滑り易く、また、歩行音も生じ易く、しかも、落下した部品等が衝撃により跳ね易いことから、落下物、例えばネジ・ビスなどの金属小部品が紛失し易い不具合もあった。
【０００６】
本発明は上記状況に鑑みてなされたもので、その第１の目的は、簡便に金属粉の飛散を抑止できるとともに、金属小部品の回収が容易となる床材を提供し、もって、安価に作業空間の清浄度向上を図ることを目的とする。また、その第２の目的は、歩行時に滑り難くいとともに、歩行音もたち難く、しかも、落下部品が跳ね難い床材を提供することにある。
【課題を解決するための手段】
【０００７】
次に、上記の課題を解決するための手段を、実施の形態に対応する図面を参照して説明する。
本発明の請求項１記載の床材は、室内床の下地面に貼り付けられる面状の床材１００であって、
表層１１下に、該表層１１と同一面積を有して該表層１１上に磁界を形成する着磁層１３が積層されたことを特徴とする。
【０００８】
この床材では、室内作業等によって発生した金属粉を含む塵埃が床面に着地した際、着磁層１３の磁気吸引力によって動かず、表層１１上に吸着保持され、室内空間への飛散、舞い上がることによる浮遊等が抑止される。また、当該金属粉の吸着保持に伴って、他の塵埃の一部も挟持されるなどして共に床面に保持され、室内空間への飛散が抑止される。さらに、磁気吸引力により、金属加工屑、切削粉、或いはネジ・ビスなどの部品の捕捉が行われ、落下物が行方不明にならず、回収が容易となる。
【０００９】
請求項２記載の床材は、前記表層１１がシート状の表面材１７からなり、該表面材１７の表面には金属粉を収容可能とする複数の微小凹凸１９が形成されたことを特徴とする。
【００１０】
この床材では、着磁層１３の磁気吸引力では吸着保持されない非磁性体からなる塵埃であっても、表層１１に着地した際に微小凹凸１９に引っ掛かり、凹部内へ嵌り込んで保持され、室内空間への飛散が抑止される。なお、微小凹凸１９に保持された塵埃は、粘着剤付清掃具等にて清掃で回収可能、或いは吸引タイプの清掃具等で回収可能となる。
【００１１】
請求項３記載の床材は、前記着磁層１３の下面に、該着磁層１３と同一面積を有するクッション材２１が積層されたことを特徴とする。
【００１２】
この床材では、着磁層１３と下地面との間に介在するクッション材２１が衝撃を吸収する緩衝材となり、落下物の跳ね返り等を防ぎ、且つ床面に防音性が付与される。また、作業者の歩行時における滑り、転びも抑止可能となる。
【００１３】
請求項４記載の床材は、前記下地面に対向する下面２１ａに、接着層が積層されたことを特徴とする。
【００１４】
この床材では、接着層によって下地面への直接貼着が可能となり、床材１００の貼着面や、下地面への接着剤の現場塗布作業が不要となる。
【００１５】
請求項５記載の床材は、正方形又は長方形の矩形パネル形状に形成されたことを特徴とする。
【００１６】
この床材では、所定の寸法で成形が行え、生産性が向上するとともに、可搬性なども向上し、被着下地面への貼着施工を行いやすくすることとなる。
【発明の効果】
【００１７】
本発明に係る請求項１記載の床材によれば、室内床の下地面に貼り付けられる面状の床材において、表層下に、この表層と同一面積を有して表層上に磁界を形成する着磁層が積層されたので、室内作業等によって発生した金属粉を含む塵埃が床面に着地した際、磁気吸引力によって吸着保持し、室内空間への飛散を抑止することができる。また、当該金属粉の吸着保持に伴って、他の塵埃の一部も共に床面に保持して室内空間への飛散を抑止することができる。この結果、クリーンルーム施設を備えない室内においても、簡便且つ安価に室内空間の清浄度を高めることができる。さらに、磁気吸引力により、金属加工屑、切削粉、或いはネジ・ビスなどの部品の捕捉が行われ、落下物が行方不明にならず、回収が容易となる。
【００１８】
請求項２記載の床材によれば、表層がシート状の表面材からなり、この表面材の表面には金属粉を収容可能とする複数の微小凹凸が形成されたので、着磁層の磁気吸引力では吸着保持されない非磁性体からなる塵埃も微小凹凸によって引っ掛け、保持することが可能となる。これにより、非磁性体塵埃の飛散をも抑止して、室内空間の清浄度を一層高めることができる。なお、微小凹凸は、磁性体からなる金属粉の保持性向上にも寄与する。
【００１９】
請求項３記載の床材によれば、着磁層の下面に、この着磁層と同一面積を有するクッション材が積層されたので、床面として、防音性を付与することができ、足音、台車などの走行音、物品の落下音を抑制して、他室（隣室、階下など）への騒音影響を低減することができる。
【００２０】
請求項４記載の床材によれば、下地面に対向する下面に、接着層が積層されたので、床材の貼着面や、下地面への接着剤の現場塗布作業が不要となり、貼着施工作業が簡単となって、短時間での床材貼着を可能にできる。
【００２１】
請求項５記載の床材によれば、正方形又は長方形のいずれかの四角形状に形成されるので、所定の寸法で成形が行え、床材としての生産性が向上するとともに、可搬性なども向上し、被着下地面への貼着施工を行いやすくすることとなる。
【発明を実施するための最良の形態】
【００２２】
以下、本発明に係る床材の好適な実施の形態を図面を参照して詳細に説明する。
図１は本発明に係る床材の分解断面図、図２は図１に示した床材の積層された断面図、図３は図２に示した床材を複数枚貼り付けて形成された床面の斜視図である。
本実施の形態による床材１００は、例えば、黒鉛、粉塵、金属粉、微小ネジ等のいずれかが存在する作業空間（簡易クリーンルーム）に用いられて好適なもので、特に、コンピュータ機器、デジタル機器の組み立て作業場、電池アセンブリなどの組み立て作業空間における床面の形成に用いて好適なものである。
【００２３】
床材１００は、室内床の下地面に貼り付けられる略シート状の床材であって、表層１１下に、この表層１１と同一面積を有して表層１１上に磁界を形成する着磁層１３が積層されてなる。着磁層１３は、粉末磁性体をゴム、エラストマ等の弾性材料に混練してシート状に形成し、その後Ｎ極Ｓ極を交互に多極着磁して得たマグネットシート１５からなる。マグネットシート１５は、例えば異方性マグネットシート、等方性マグネットシート、又は希土類マグネットシートとすることができる。
【００２４】
表層１１は、シート状或いはフィルム状の表面材１７からなり、表面材１７の表面には金属粉を収容可能とする複数の微小凹凸１９が形成される。この微小凹凸１９は、例えばエンボス成形にて得られる。表面材１７の素材としては、例えば、ＰＶＣ（ポリ塩化ビニル），ウレタン，ＰＥＴ（ポリエチレンテレフタレート），ＰＥ（ポリエチレン），ＰＰ（ポリプロピレン）を用いることができる。
【００２５】
着磁層１３の下面には、着磁層１３と同一面積を有するクッション材２１が積層されることが好ましい。クッション材２１は、衝撃吸収により、緩衝性、歩行性、静音性を高める。このクッション材２１としては、ウレタン，ＰＥ，ＰＰ，ＰＶを好適に用いることができる。
【００２６】
また、下地面に対向する下面、本実施の形態ではクッション材２１の下面２１ａには、図示しない接着層が積層される。この接着層は図示しない剥離紙等によって接着面が剥離表出可能に覆われる。
【００２７】
さらに、床材１００は、正方形又は長方形のいずれかの矩形パネル状に形成されることが望ましい。より具体的には、５００ｍｍ×５００ｍｍのパネル状、或いは１０００ｍｍ×５００ｍｍのパネル状に形成する。
【００２８】
このように構成された床材１００では、室内作業等によって発生した金属粉を含む塵埃が床面に着地或いは落下した際、着磁層１３の磁気吸引力によって金属粉が動かず、表層１１上に吸着保持され、室内空間への飛散、舞い上がることによる浮遊が抑止される。また、当該金属粉の吸着保持に伴って、他の塵埃の一部も、挟持されるなどして共に床面に保持され、室内空間への飛散が抑止される。さらに、磁気吸引力により、金属加工屑、切削粉、或いはネジ・ビスなどの部品の捕捉が行われ、落下物が行方不明にならず、回収が容易となる。
【００２９】
また、着磁層１３の磁気吸引力では吸着保持されない非磁性体からなる塵埃であっても、表層１１に着地した際に微小凹凸１９に引っ掛かり、凹部内へ嵌り込んで保持され、室内空間への飛散が抑止される。すなわち、磁着する塵埃（金属粉）はもちろんであるが、亜鉛などの磁性を帯びない金属粉でも微小凹凸１９に嵌まることで飛び散らない。なお、微小凹凸１９に保持された塵埃は、粘着剤付清掃具、例えば粘着ローラ等にて清掃で回収可能となる。また、吸引タイプの清掃具を用いることとしてもよい。これにより、非磁性体塵埃の飛散をも抑止して、室内空間の清浄度を一層高めることができる。なお、微小凹凸１９は、磁性体からなる金属粉の保持性向上にも寄与する。
【００３０】
また、表面材１７は、所望の色に着色したもので形成することができる。これにより、一般に黒色であるマグネットシート１５を覆うことができ、床材１００の意匠性を良好にできる。
【００３１】
そして、床材１００では、着磁層１３と下地面との間に介在するクッション材２１が衝撃を吸収する緩衝材となり、床面に防音性が付与される。また、作業者の歩行時、滑る、転ぶも抑止可能となる。これにより、足音、台車などの走行音、物品の落下音を抑制して、他室、例えば隣室や階下などへの騒音影響を低減することができる。
【００３２】
また、下地面に対向する下面に、接着層が積層されることで、床材１００の貼着面（下面２１ａ）や、下地面への接着剤の現場塗布作業が不要となり、貼着施工作業が簡単となって、短時間での床材貼着を可能にできる。
【００３３】
さらに、床材１００は、図３に示すように、正方形又は長方形のいずれかの四角形状に形成されるので、所定の寸法での成形が行え、生産性が向上するとともに、品質のばらつきの少ない床材を得ることができ、また、可搬性なども向上し、被着下地面への貼着施工、すなわち敷きつめることで床面を構成でき、施工作業を行いやすくすることとなる。
【００３４】
このように、上述した床材１００によれば、室内床の下地面に貼り付けられる面状の床材において、表層１１下に、この表層１１と同一面積を有して表層１１上に磁界を形成する着磁層１３が積層されたので、室内作業等によって発生した金属粉を含む塵埃が床面に着地した際、磁気吸引力によって磁性材料からなる金属粉を吸着保持し、室内空間への飛散を抑止することができる。また、当該金属粉の吸着保持に伴って、他の塵埃の一部も共に床面に保持して室内空間への飛散を抑止することができる。この結果、クリーンルーム施設を備えない室内においても、簡便且つ安価に室内空間の清浄度を高めることができる。さらに、磁気吸引力により、金属加工屑、切削粉、或いはネジ・ビスなどの部品の捕捉が行われ、落下物が行方不明にならず、回収を容易にすることができる。
【００３５】
なお、クッション材２１は、上記材質の他に、フェルトなどの不織布によるものを素材としてもよい。また、表面材１７のエンボス面は、文様、例えば、木目調を形成してもよく、このような構成によれば室内空間環境としてのデザイン性も同時に付与することができる。さらに、表面材１７は、防炎、防火素材を用いることで、防火対策、安全性も向上させることができる。
【００３６】
また、床材１００は、空調型のクリーンルームと併用することで、送気空間を浮遊する物質や、着磁層１３に接近した金属粉の回収・保持が可能となって、相乗効果を得ることができる。
【図面の簡単な説明】
【００３７】
【図１】本発明に係る床材の分解断面図である。
【図２】図１に示した床材の積層された断面図である。
【図３】図２に示した床材を複数枚貼り付けて形成された床面の斜視図である。
【符号の説明】
【００３８】
１１…表層
１３…着磁層
１７…表面材
１９…微小凹凸
２１…クッション材
２１ａ…下地面に対向する下面
１００…床材
【図１】
2008190145.tif 000003
【図２】
2008190145.tif 000004
【図３】
2008190145.tif 000005